(57)【特許請求の範囲】
【請求項１】
情報データを光信号に変換して送受信する光通信システムに適用される差動符号光送受信装置であって、
送信側において、前記情報データを光信号に変換して通信路に送信するディジタル信号処理光トランシーバを備え、
受信側において、
前記通信路からの光信号を受信する受信フロントエンド部と、
前記通信路から受信された光信号を電気信号に変換するＯ／Ｅ変換部と、
前記電気信号に含まれるレーン間スキューを調整するスキュー補正部と、
前記スキュー補正部によりスキュー補正された電気信号の差動符号をデコードする差動デコーダと、
前記差動デコーダを介した電気信号に対して、前記通信路でレーン入替が生じた場合に、送信時のレーン状態に並び替えを行うレーン入替部とを備え、
前記電気信号が差動符号化されているか否かに関わらず、送受信を行うことを特徴とする差動符号光送受信装置。
【請求項２】
前記レーン入替部は、前記差動デコーダの後段に実装されていることを特徴とする請求項１に記載の差動符号光送受信装置。
【請求項３】
前記レーン入替部は、前記差動デコーダの前段に実装されたことを特徴とする請求項１に記載の差動符号光送受信装置。
【請求項４】
前記光信号は、情報ビットに誤り訂正ビットを付加したＯＴＵｋ（Ｏｐｔｉｃａｌ  ｃｈａｎｎｅｌ  Ｔｒａｎｓｐｏｒｔ  Ｕｎｉｔ−ｋ）フレームであることを特徴とする請求項１から請求項３までのいずれか１項に記載の差動符号光送受信装置。
【発明の詳細な説明】
【技術分野】
【０００１】
この発明は、通信路を介して接続された１対の光伝送装置を備え、光通信システムなどのディジタル通信装置に適用される差動符号信号の光送受信装置に関し、特に、差動符号信号の光送受信処理を改良した差動符号光送受信装置に関するものである。
【背景技術】
【０００２】
一般に、光送受信装置（および光送受信方法）においては、光変調方式として、オン・オフ・キーイング（Ｏｎ  Ｏｆｆ  Ｋｅｙｉｎｇ：ＯＯＫ）、２相位相変調（Ｂｉｎａｒｙ  Ｐｈａｓｅ  Ｓｈｉｆｔ  Ｋｅｙｉｎｇ：ＢＰＳＫ）、差動位相変調（Ｄｉｆｆｅｒｅｎｔｉａｌ  ＰＳＫ：ＤＰＳＫ）、４相位相変調（Ｑｕａｄｒａｔｕｒｅ  Ｐｈａｓｅ  Ｓｈｉｆｔ  Ｋｅｙｉｎｇ：ＱＰＳＫ）、差動４相位相変調（Ｄｉｆｆｅｒｅｎｔｉａｌ  ＱＰＳＫ：ＤＱＰＳＫ）などが適用されている。【０００３】
上記光変調方式を適用した多値変調光送受信装置においては、送信信号を「１、０」の２値ではなく、位相情報や偏波状態を用いて多重化する技術が用いられている。
この際、通信路において、複数の論理レーンを用いて信号を伝送するが、送信機から受信機までの間でスキューと呼ばれるレーン間の伝送時間差が生じることや、受信フロントエンド部で偏波の入力状態によるレーン入替が生じることにより、受信側にて正しく信号を復調できない問題がある。【０００４】
そこで、従来から、スキューを調整するためのＯＴＮ−ＭＬＤ（Ｏｐｔｉｃａｌ  Ｔｒａｎｓｐｏｒｔ  Ｎｅｔｗｏｒｋ−Ｍｕｌｔｉ−Ｌａｎｅ  Ｄｉｓｔｒｉｂｕｔｉｏｎ）という技術が提案されている（たとえば、非特許文献１参照）。【０００５】
ＯＴＮ−ＭＬＤにおいては、スキュー補正（デスキュー）の他、受信フロントエンド部で入替わったレーンを補正する機能があるが、ＭＬＤでスキュー補正とレーン入替とを行うために、送信側において、ＯＴＵｋ（ｋ＝０、１、２、・・・）（Ｏｐｔｉｃａｌ  Ｔｒａｎｓｐｏｒｔ  Ｕｎｉｔ）フレーム単位でフレームアライメント信号（ＦＡＳ）をバレルシフト（レーン回転）する必要がある。【０００６】
なぜなら、バレルシフトする前の状態では、ＦＡＳが或る１つのレーンのみにしか存在しないが、受信側で複数のレーンのスキュー状態を測定するためには、すべてのレーンにＦＡＳが存在し、そのＦＡＳ信号の相対位置の変化を元にスキュー状態を見る必要があるためである。【０００７】
ここで、上記従来装置の信号処理動作として、ディジタル信号処理光トランシーバの受信部を例にとって、受信フロントエンド部、マルチレーン同期（ＯＴＮ−ＭＬＤ）部および差動デコーダ部により、差動復号を実行した場合の動作について説明する。【０００８】
まず、受信フロントエンド部において、光受信信号は、Ｘ偏波成分のＩチャネルとＱチャネルとに分離され、Ｙ偏波成分のＩチャネルとＱチャネルとに分離され、計４チャネル（４レーン）に分離される。【０００９】
受信したＯＴＵｋフレームは、マルチレーン同期部において、通信路および受信フロントエンド部で生じたレーン間の「スキュー補正（デスキュー）」処理が行われるとともに、通信路、受信フロントエンド部、および適応等化フィルタ部で生じた「レーン入替」処理と、マルチレーン分配部にてＯＴＵｋフレームごとにバレルシフトしたフレームを元に戻す「レーン回転」処理と、が行われる。【００１０】
その後、差動デコーダ部に入力されるが、既にマルチレーン同期部にてＯＴＵｋフレーム単位でのバレルシフトが行われているので、ＯＴＵｋフレーム「０」でＸ偏波のＩチャネルだったものが、ＯＴＵｋフレーム「１」では、Ｘ偏波のＱチャネルになる。
したがって、ＯＴＵｋフレームの境界においては、その前後でレーンの異なる信号を差動復号化することになり、正しく差動符号信号が復号されない可能性がある。
【先行技術文献】
【非特許文献】
【００１１】
【非特許文献１】ＩＴＵ−Ｔ  Ｒｅｃｏｍｍｅｎｄａｔｉｏｎ  Ｇ．７０９，Ｇｅｎｅｖａ，１−１２  Ｄｅｃｅｍｂｅｒ  ２００８
【発明の概要】
【発明が解決しようとする課題】
【００１２】
従来の多値変調光送受信装置において、ＯＴＮ−ＭＬＤ技術を用いた場合には、スキュー補正と、レーン入替と、バレルシフトを元に戻す操作（レーン回転）とが同時に行われるので、差動符号を正しく復号することができないという課題があった。【００１３】
この発明は、上記のような課題を解決するためになされたものであり、差動符号化された信号を正しく復号することのできる差動符号光送受信装置を得ることを目的とする。
【課題を解決するための手段】
【００１４】
この発明に係る差動符号光送受信装置は、情報データを光信号に変換して送受信する光通信システムに適用される差動符号光送受信装置であって、送信側において、情報データを光信号に変換して通信路に送信するディジタル信号処理光トランシーバを備え、受信側において、通信路からの光信号を受信する受信フロントエンド部と、通信路から受信された光信号を電気信号に変換するＯ／Ｅ変換部と、電気信号に含まれるレーン間スキューを調整するスキュー補正部と、スキュー補正部によりスキュー補正された電気信号の差動符号をデコードする差動デコーダと、差動デコーダを介した電気信号に対して、通信路でレーン入替が生じた場合に、送信時のレーン状態に並び替えを行うレーン入替部とを備え、電気信号が差動符号化されているか否かに関わらず、送受信を行うものである。
【発明の効果】
【００１５】
この発明によれば、ＯＴＵｋフレーマにおいて、レーン回転処理を行う前に、差動デコーダ部において差動復号を行うことにより、受信された信号が差動符号化されている場合であっても、信号を正しく受信することができるので、差動符号化された信号を正しく復号することができる。
【図面の簡単な説明】
【００１６】
【図１】この発明の実施の形態１に係る差動信号光送受信装置を用いた光通信システムを概略的に示すブロック構成図である。（実施例１）
【図２】この発明の実施の形態１に係る差動信号光送受信装置を具体的に示すブロック構成図である。（実施例１）
【図３】この発明の実施の形態１に係る差動信号光送受信装置のマルチレーン同期部の受信動作を示す説明図である。（実施例１）
【図４】この発明の実施の形態２に係る差動信号光送受信装置を具体的に示すブロック構成図である。（実施例２）
【図５】この発明の実施の形態２に係る差動信号光送受信装置のマルチレーン同期部の受信動作を示す説明図である。（実施例２）
【発明を実施するための形態】
【００１７】
（実施例１）
図１はこの発明の実施の形態１に係る差動信号光送受信装置を用いたシステム全体を概略的に示すブロック構成図であり、一例としてＦＥＣ（Ｆｏｒｗａｒｄ  Ｅｒｒｏｒ  Ｃｏｒｒｅｃｔｉｏｎ）フレーム構成装置を用いたディジタル光通信システム（以下、単に「光通信システム」という）を示している。
【００１８】
図１において、光通信システムは、クライアント信号の送受信を行う１対の光伝送装置１ａ、１ｂからなる差動信号光送受信装置１と、光伝送装置１ａ、１ｂの相互間に挿入されて光信号の送受信を行う通信路２（光ファイバ）とを備えている。
光伝送装置１ａ、１ｂは、互いに隔離配置されて同一構成の送受信機能を有しており、一方が受信機として機能する場合は、他方が送信機として機能する。
【００１９】
たとえば光伝送装置１ａは、クライアント送信信号の受信機として機能する場合には、クライアントからの送信信号をＥ／Ｏ（電気／光）変換して、光送信信号として通信路２に送信し、クライアント受信信号の送信機として機能する場合には、通信路２を介して入力される光受信信号をＯ／Ｅ（光／電気）変換してクライアントに送信する。
【００２０】
図２は図１内の差動符号光送受信装置１（光伝送装置１ａ、１ｂ）の一方を具体的に示すブロック構成図であり、多値変調光送受信装置に適用した場合を示している。
なお、ここでは、代表的に光伝送装置１ａの機能構成を示しているが、他方の光伝送装置１ｂについては、同一構成（送受信経路が逆配置）なので図示を省略する。
また、図２においては、差動信号光送受信装置１を多値変調光送受信装置に適用した場合を示しているが、他の光送受信装置に適用可能なことは言うまでもない。
【００２１】
図２において、差動信号光送受信装置１を構成する光伝送装置１ａは、ＯＴＵｋ（Ｏｐｔｉｃａｌ  ｃｈａｎｎｅｌ  Ｔｒａｎｓｐｏｒｔ  Ｕｎｉｔ−ｋ）フレーマ１０と、ディジタル信号処理光トランシーバ２０とを備えている。
【００２２】
ＯＴＵｋフレーマ１０は、送信側の機能として、ＯＴＵｋフレーム生成部１１と、マルチレーン分配部１３と、差動エンコーダ１４とを備えている。
また、ＯＴＵｋフレーマ１０は、受信側の機能として、スキュー補正部１５と、差動符号化された信号を復号する差動デコーダ１６と、レーン入替／回転部１７と、ＯＴＵｋフレーム終端部１８とを備えている。
【００２３】
ＯＴＵｋフレーム生成部１１は、硬判定ＦＥＣエンコーダ部１２を備え、ＯＴＵｋフレーム終端部１８は、硬判定ＦＥＣデコーダ１９を備えている。
スキュー補正部１５およびレーン入替／回転部１７は、マルチレーン同期（ＯＴＮ−ＭＬＤ）部を構成している。
【００２４】
ディジタル信号処理光トランシーバ２０は、多重化部２１と、Ｄ／Ａ（ディジタル／アナログ）変換部２２と、Ｅ／Ｏ変換部２３と、受信フロントエンド部２４と、Ａ／Ｄ（アナログ／ディジタル）変換部３１と、多重分離部３２と、適応等化フィルタ部３３とを備えている。
【００２５】
受信フロントエンド部２４は、偏波ビームスプリッタ（ＰＢＳ）２５、２７と、コヒーレント受信を行うローカルオシレータ（ＬＯ）２６と、９０°光ハイブリッド２８と、Ｏ／Ｅ変換部２９と、ＡＭＰ３０とを備えている。
【００２６】
ＯＴＵｋフレーマ１０において、ＯＴＵｋフレーム生成部１１は、クライアント送信信号を、データフレームとしてのＯＴＵｋフレームにマッピングするとともに、フレーム同期や保守制御に必要な情報を付加して光伝送フレームを生成し、光伝送フレームをマルチレーン分配部１３に入力する。
【００２７】
マルチレーン分配部１３は、ＯＴＵｋフレームをＯＴＵｋフレーム単位でバレルシフトすることにより、ＯＴＮ−ＭＬＤ送信信号を生成する。
差動エンコーダ１４は、マルチレーン分配されたＯＴＮ−ＭＬＤ送信信号を差動符号化し、差動符号化したＯＴＮ−ＭＬＤ送信信号を、ディジタル信号処理光トランシーバ２０内の多重化部２１に入力する。
【００２８】
スキュー補正部１５（マルチレーン同期部）は、ディジタル信号処理光トランシーバ２０内の適応等化フィルタ部３３からのＯＴＮ−ＭＬＤ受信信号に対し、通信路２（伝送路）および受信フロントエンド部２４で生じたレーン間のスキューを補正する。
差動デコーダ１６は、差動符号化されたＯＴＮ−ＭＬＤ受信信号を復号する。
【００２９】
レーン入替／回転部１７（マルチレーン同期部）は、通信路２、受信フロントエンド部２４、および適応等化フィルタ部３３で入替わったレーンを送信状態のレーン並びの状態に戻す「レーン入替機能」と、マルチレーン分配部１３で、ＯＴＮフレームごとにバレルシフトしたものを元に戻す「レーン回転機能」とを備えている。
【００３０】
前述のように、送信側でバレルシフトされた信号は、受信側の差動デコーダ１６において差動符号化されるが、受信側で差動復号する際には、前述の課題を解決するために、バレルシフトされた状態を戻す前に差動復号をする必要がある。
【００３１】
したがって、図２に示すＯＴＵｋフレーマ１０において、マルチレーン同期部は、差動デコーダ１６を介して、前段のスキュー補正部１５と、後段のレーン入替／回転部１７と、の２機能に分割されている。
ＯＴＵｋフレーム終端部１８は、ＯＴＵｋフレームに対して、フレーム同期や保守制御に必要な情報を終端するとともに、クライアント受信信号をＯＴＵｋフレームからデマッピングし、クライアント受信信号を出力する。
【００３２】
一方、ディジタル信号処理光トランシーバ２０において、多重化部２１は、ＯＴＵｋフレーマ１０内の差動エンコーダ１４によって差動符号化されたｍ並列（ｍは１以上の整数）のＯＴＮ−ＭＬＤ送信信号を、多重化処理してＤ／Ａ変換部２２に入力する。
Ｄ／Ａ変換部２２は、多重化部２１によって多重化されたＯＴＮ−ＭＬＤ送信信号を、Ｄ／Ａ変換してＥ／Ｏ変換部２３に入力する。
【００３３】
Ｅ／Ｏ変換部２３は、Ｄ／Ａ変換部２２からのアナログ信号を光信号に変換し、光送信信号として通信路２に導入する。
受信フロントエンド部２４は、通信路２から入力される光受信信号を、アナログ電気信号に変換してＡ／Ｄ変換部３１に入力する。
【００３４】
Ａ／Ｄ変換部３１は、受信フロントエンド部２４を介して受信したアナログ電気信号をｎビット（ｎは１以上の整数）の軟判定受信データに変換して多重分離部３２に入力する。
多重分離部３２は、Ａ／Ｄ変換部３１からのｎビットの軟判定受信データを、ｎ×ｍ（ｍは、多重化部２１での多重化数と等しい）に多重分離して適応等化フィルタ部３３に入力する。
【００３５】
適応等化フィルタ部３３は、多重分離部３２により多重分離された受信信号をディジタル信号処理し、受信信号の歪みを補正してＯＴＵｋフレーマ１０内のスキュー補正部１５に入力する。
【００３６】
受信フロントエンド部２４において、ＬＯ２６の入力側に配置されたＰＢＳ２５は、通信路２から受信した光信号のＸ偏波とＹ偏波とを偏波分離し、ＬＯ２６の出力側に配置されたＰＢＳ２７は、ＬＯ２６からのＬＯ信号を偏波分離する。
９０°光ハイブリッド２８は、ＰＢＳ２５により偏波分離された光信号と、ＰＢＳ２７により偏波分離されたＬＯ信号とを混合してＯ／Ｅ変換部２９に入力する。
【００３７】
Ｏ／Ｅ変換部２９は、９０°光ハイブリッド２８を介して受信された光信号を、電気信号に変換してＡＭＰ３０に入力する。
ＡＭＰ３０は、Ｏ／Ｅ変換部２９によりＯ／Ｅ変換された電気信号を増幅してＡ／Ｄ変換部３１に入力する。
【００３８】
次に、図３を参照しながら、この発明の実施の形態１によりＯＴＮ−ＭＬＤ機能を分割した場合の処理動作について説明する。
図３は光伝送装置１ａ（多値変調光送受信装置）内のマルチレーン同期部（スキュー補正部１５、レーン入替／回転部１７）の動作を示す説明図であり、ディジタル信号処理光トランシーバ２０を介してＯ／Ｅ変換された受信信号（電気信号）が１２８ビット（ｍ＝１２８）×４レーン（マルチレーン分配部でのマルチレーン数）の場合を示している。
【００３９】
また、図３においては、各ブロック１５〜１７に対応した上段側の動作フローと平行して、下段側に具体的な信号処理フローを示している。
信号処理フローにおいて、フレームパルスＦＰは、各ＯＴＵｋフレーム「０」、「１」の先頭を示している。ここで、「０」、「１」は、ＯＴＵｋフレームのフレーム番号を示している。
なお、個々の信号処理フローについては、従来技術と同様なので、ここでは詳述を省略する。
【００４０】
前述のように、差動信号光送受信装置１の送信側においては、スキュー補正およびレーン入替を行うために、ＯＴＵｋフレーム単位でフレームアライメント信号（ＦＡＳ）をバレルシフト（レーン回転）する必要があり、バレルシフトされた送信信号は、差動エンコーダ１４により差動符号化される。
一方、差動信号光送受信装置１の受信側で差動復号する際には、レーン間スキューのみを補正しておいて、バレルシフトされた状態を戻す前に差動復号をする必要がある。
【００４１】
すなわち、まず、受信フロントエンド部２４において、Ｘ偏波成分のＩチャネルとＱチャネルとに分離され、Ｙ偏波成分のＩチャネルとＱチャネルとに分離され、計４チャネル（４レーン）に分離される。
以下、Ａ／Ｄ変換部３１、多重分離部３２および適応等化フィルタ部３３を介して、ＯＴＵｋフレーマ１０内のスキュー補正部１５に入力される。
【００４２】
図３において、まず、ＯＴＵｋフレーマ１０内のスキュー補正部１５は、ディジタル信号処理光トランシーバ２０内の適応等化フィルタ部３３から入力される受信信号に対して、マルチレーン同期におけるスキュー補正（デスキュー）処理のみを先に実行し、レーン間のスキューを補正した後に、差動デコーダ１６に入力する。
このとき、ＯＴＵｋフレーム単位でレーン回転が行われていないので、差動デコーダ１６においては、受信信号を正しく受信することが可能である。
【００４３】
次に、レーン入替／回転部１７により、通信路２、受信フロントエンド部２４、および適応等化フィルタ部３３で入替わったレーンを補正する「レーン入替」処理と、マルチレーン分配部１３にてＯＴＵｋフレームごとにバレルシフトしたフレームを元に戻す「レーン回転」処理と、が行われる。
【００４４】
こうして、ＯＴＵｋフレームの状態に戻された後に、ＯＴＵｋフレーム終端部１８に入力され、ＯＴＵｋフレーム終端部１８内の硬判定ＦＥＣデコーダ１９により硬判定デコードが行われ、クライアント受信信号として送信される。
【００４５】
以上のように、この発明の実施の形態１（図１〜図３）に係る差動信号光送受信装置１は、情報データを光信号に変換して送受信する光通信システムに適用される差動符号光送受信装置であって、送信側において、情報データを光信号に変換して通信路２に送信するディジタル信号処理光トランシーバ２０を備えている。
【００４６】
また、受信側において、通信路２からの光信号を受信する受信フロントエンド部２４と、通信路２から受信された光信号を電気信号に変換するＯ／Ｅ変換部２９と、電気信号に含まれるレーン間スキューを調整するスキュー補正部１５と、スキュー補正部１５によりスキュー補正された電気信号の差動符号をデコードする差動デコーダ１６と、差動デコーダ１６を介した電気信号に対して、通信路２でレーン入替が生じた場合に、送信時のレーン状態に並び替えを行うレーン入替部（レーン入替／回転部１７）とを備えている。
【００４７】
これにより、ＯＴＮ−ＭＬＤのスキュー補正機能と、レーン入替機能およびレーン回転機能（バレルシフトを元に戻す）とを分割し、まず、スキュー補正を行った後、差動復号を行い、その後で、レーン入替およびレーン回転機能を行う。
また、通信路２を通過する光信号は、ＯＴＵｋフレーマ１０により、情報ビットに誤り訂正ビットが付加されたＯＴＵｋフレームである。
【００４８】
この発明の実施の形態１に係る差動信号光送受信装置１によれば、上記構成により、電気信号が差動符号化されているか否かに関わらず、送受信が行われる。
すなわち、差動信号光送受信装置１への入力信号は、差動符号化信号の差動ペアがレーン回転によって離れた位置になることなく入力されるので、差動ペアが常に隣接ビットに位置することができ、正しく差動符号化することができる。
【００４９】
なお、上記実施の形態１では、説明を省略したが、ＯＴＵｋフレーマ１０とディジタル信号処理光トランシーバ２０との間で生じるスキューは、ＯＴＵｋフレーマ１０およびディジタル信号処理光トランシーバ２０の双方において、ＳＦＩ（Ｓｅｒｄｅｓ  Ｆｒａｍｅｒ  Ｉｎｔｅｒｆａｃｅ）により、スキュー補正が行われる。
【００５０】
また、図２においては、送信側のマルチレーン分配部１３と、受信側の差動デコーダ１６とを、ＯＴＵｋフレーマ１０内に実装したが、これらをディジタル信号処理光トランシーバ２０内に実装してもよい。
さらに、送受信機能の相互間でレーン入替が生じないのであれば、レーン入替／回転部１７内のレーン入替機能を省略することもできる。
【００５１】
（実施例２）
なお、上記実施の形態１（図２、図３）では、差動デコーダ１６の後段にレーン入替部（レーン入替／回転部１７）を実装したが、図４および図５のように、差動デコーダ１６の前段にレーン入替部（スキュー補正／レーン入替部１５Ａ）を実装してもよい。
【００５２】
図４はこの発明の実施の形態２に係る差動信号光送受信装置を具体的に示すブロック構成図であり、前述（図２参照）と同様のものについては、前述と同一符号を付して詳述を省略する。図４内のＯＴＵｋフレーマ１０Ａは、前述のＯＴＵｋフレーマ１０に対応している。
【００５３】
図５はこの発明の実施の形態２に係る差動信号光送受信装置のマルチレーン同期部の受信動作を示す説明図であり、前述（図３参照）と同様のものについては、前述と同一符号を付して詳述を省略する。
なお、この発明の実施の形態２に係る差動信号光送受信装置を用いた光通信システムの概略構成は、図１に示した通りである。
【００５４】
図４において、差動デコーダ１６の前段に実装されたスキュー補正／レーン入替部１５Ａは、通信路２、受信フロントエンド部２４、および適応等化フィルタ部３３で入替わったレーンを送信状態のレーン並びの状態に戻すレーン入替部の機能を含む。
差動デコーダ１６の後段に実装されたレーン回転部１７Ａは、マルチレーン分配部１３においてＯＴＵｋフレームごとにバレルシフトしたものを元に戻す。
【００５５】
図５において、多値変調光送受信装置の受信側は、マルチレーン同期におけるスキュー補正（デスキュー）およびレーン入替のみを先に実行し、レーン間スキューおよびレーン入替を補正した後、差動デコーダ１６に入力する。
【００５６】
差動デコーダ１６においては、ＯＴＵｋフレーム単位でレーン回転が行われていないので、正しく受信することが可能である。その後、レーン回転部１７Ａにおいてレーン回転を行い、ＯＴＵｋフレームの状態に戻した後、硬判定デコードが行われる。
なお、前述と同様に、送受信機能の相互間でレーン入替が生じないのであれば、スキュー補正／レーン入替部１５Ａ内のレーン入替機能を省略することもできる。
【符号の説明】
【００５７】
１  差動信号光送受信装置、１ａ、１ｂ  光伝送装置、２  通信路、１０、１０Ａ  ＯＴＵｋフレーマ、１５  スキュー補正部、１５Ａ  スキュー補正／レーン入替部、１６  差動デコーダ、１７  レーン入替／回転部、１７Ａ  レーン回転部、２０  ディジタル信号処理光トランシーバ、２４  受信フロントエンド部、２９  Ｏ／Ｅ変換部。
【図１】
0005425212.tif 000002
【図２】
0005425212.tif 000003
【図３】
0005425212.tif 000004
【図４】
0005425212.tif 000005
【図５】
0005425212.tif 000006